(57)【要約】【課題】本発明は上記のような問題点を鑑みてなされたもので、その構成が簡易で、且つスムーズな紫外線カットネットの敷設ができるプールに紫外線カットネットを敷設する方法を提供することを課題とする。【解決手段】野外プールの対向する方向に設けられた複数の支柱間にそれぞれ吊張された複数のワイヤーロープを一方の支柱間に設けられたウインチを用いて複数同時に移動し、前記ワイヤーロープに設けられた紫外線カットネットをワイヤーロープに沿って引出、又は巻取してプールに紫外線カットネットを敷設、又は収納することである。【選択図】図１
2004285821.tif 000002
【特許請求の範囲】
【請求項１】
屋外プールの外周に設けられた複数の支柱間にそれぞれ吊張された複数のワイヤーロープをウインチを用いて同時に移動し、前記ワイヤーロープに設けられた紫外線カットネット等をワイヤーロープの移動に沿って引出しプール上方に敷設する、又はワイヤーロープを巻取して紫外線カットネット等を収納することを特徴とするプールに紫外線カットネット等を敷設する敷設方法。
【請求項２】
前記紫外線カットネット等がワイヤーロープの吊張された方向で複数に分割され、１台のウインチで複数の分割された紫外線カットネット等をワイヤーロープに沿って移動する請求項１記載のプールに紫外線カットネット等を敷設する敷設方法。
【請求項３】
屋外プールの外周に設けられた複数の支柱と、該支柱の対向する方向にそれぞれ吊張された複数のワイヤーロープと、該ワイヤーロープの一方の支柱間に設けられ、同時に複数のワイヤーロープを移動するウインチと、前記ワイヤーロープに設けられた紫外線カットネット等とから構成され、しかも前記ウインチが電動ユニットの設けられたアシストウインチ、又は電動ウインチであることを特徴とするプールに紫外線カットネット等を敷設する装置。
【請求項４】
前記電動ユニットが手動式のハンドルの回転軸に直接、又は間接的に設けられている請求項３記載の紫外線カットネット等を敷設する装置。
【発明の詳細な説明】
【技術分野】
【０００１】  本発明は、屋外のプールを使用する際、プールへの紫外線をカットする紫外線カットネット等をプールの上部側に敷設するのに使用するプールに紫外線カットネット等を敷設する方法、及びその装置に関する。
【背景技術】
【０００２】  近年、屋外のプールを使用する際は、プールの使用者（特に幼児等）が長時間紫外線を浴びないように、プール全体の上部側に紫外線カットネット、又は紫外線カットシートを設ける方法が取られている。【０００３】  この、紫外線カットネット（例えば、紫外線カットコーティング剤（アクリルエステルＤＭメタアクリレート・ＨＥＭＡ（ポリマー組成）が４．５％〜６・５％と、キシレン・ＢＩＢＫ・プチルアセテート（溶剤）が４５％〜５５％と、１−ＡＣＥＴＯＮ−２−ＥＴＨＯＸＥＴＡＮＥが１５％〜２５％と、ＩＰＡ（ポリマー含）が５％〜７％と紫外線カット剤が０．９％〜２％とから成る樹脂材用の紫外線、近赤外線カットコーティング剤）をネットに塗布する方法で形成）としては、４１５ナノメートル以上の可視光線はそのまま透過させることができるなど、分光特性に優れたものが開発されるなど進歩している（特許文献１参照。）。【０００４】  また、紫外線カットシート（例えば、糸密度が、縦８〜２４本／インチ、横８〜２４本／インチのメッシュシートの少なくとも片面に樹脂加工したもので、樹脂加工後の糸間の空孔が、直径０．５ｍｍ〜３ｍｍで、１平方インチ当たり１５０〜５００個存在するテント用シート）も開発された（特許文献１参照。）。【０００５】  上記紫外線カットネット、又は紫外線カットシートを屋外のプールの上部に敷設する場合は、プールを囲むように設けられた枠体（固定状態、又は枠が一方側に移動して収納する状態）に取り付けて使用していた。
【特許文献１】特開平０７−３１００４４号  公報
【特許文献２】特開２００４−３０８５号  公報
【発明の開示】
【発明が解決しようとする課題】
【０００６】  しかしながら、小学校等のプールは小さい場合であっても縦２５メートル、横１５メートルあり、プールの回りを含めて紫外線カットネット、又は紫外線カットシートを敷設する場合、縦３０メートル、横２５メートル以上の紫外線カットネット、又は紫外線カットシートを必要とするために、紫外線カットネットの重量が問題となり、枠体への敷設が大変な重労働となった。【０００７】  また、固定状態でプールの上方側に紫外線カットネット、又は紫外線カットシートを設けておくと、風の影響を受けやすく、非常に危険である。【０００８】  そこで、紫外線カットネット、又は紫外線カットシートを複数に分割してプール上へ敷設する方法も考えられたが、複数に分割したそれぞれの紫外線カットネット等をそれぞれを敷設するためには、作業時間を多く要する。【０００９】  このように、紫外線カットネット、又は紫外線カットシートの開発には力が注がれているものの、プール上方側への敷設方法、又は装置に関しての開発が遅れその結果として、屋外のプール上への敷設が遅れているという大きな問題点が発生した。【００１０】  そこで、本発明は上記のような問題点を鑑みてなされたもので、その構成が簡易で、且つスムーズな紫外線カットネット、又は紫外線カットシートの敷設ができるプールに紫外線カットネット等を敷設する方法、及びその装置を提供することで、早期のプール上への敷設を可能として、その使用者（特に、子供達）を紫外線から保護することを目的とする。
【課題を解決するための手段】
【００１１】  そして、本発明は上記目的を達成するために、屋外プールの外周に設けられた複数の支柱間にそれぞれ吊張された複数のワイヤーロープをウインチを用いて同時に移動し、前記ワイヤーロープに設けられた紫外線カットネット等をワイヤーロープの移動に沿って引出しプール上方に敷設する、又はワイヤーロープを巻取して紫外線カットネット等を収納することを特徴とする。【００１２】  また、第２の課題解決手段は、紫外線カットネット等がワイヤーロープの吊張された方向で複数に分割され、１台のウインチで複数の分割された紫外線カットネット等をワイヤーロープに沿って移動する敷設方法である。【００１３】  また、第３の課題解決手段は、屋外プールの外周に設けられた複数の支柱と、該支柱の対向する方向にそれぞれ吊張された複数のワイヤーロープと、該ワイヤーロープの一方の支柱間に設けられ、同時に複数のワイヤーロープを移動するウインチと、前記ワイヤーロープに設けられた紫外線カットネット等とから構成され、しかも前記ウインチが電動ユニットの設けられたアシストウインチ、又は電動ウインチであることを特徴とする。【００１４】  また、第４の課題解決手段は、電動ユニットが手動式のハンドルの回転軸に直接、又は間接的に設けられていることである。【００１５】  上記第１の解決手段による作用は次の通りである。本発明は、野外プールの外周でプールの対向する方向（縦方向、又は横方向）に設けられた複数の支柱間に、それぞれワイヤーロープを吊張し、該ワイヤーロープに波状に折り畳んだ紫外線カットネット等の先端側を固定し、波状に折り畳んだ部分に設けられた吊具を挿通する。そして、ワイヤーロープの一端側に設けられたウインチを作動することで、ワイヤーロープを移動して紫外線カットネット等を容易にプールの上側に敷設することであります。【００１６】  そして、複数のワイヤーロープを１台のウインチに連結して、移動することで、少ないウインチを連動してスムーズに紫外線カットネット等をワイヤーロープに沿って移動することができる。【００１７】  また、第２の解決手段による作用は、紫外線カットネット等をワイヤーロープ方向で複数に分割し、１台のウインチで複数の分割された紫外線カットネット等をワイヤーロープに沿って移動したり、又は分割された紫外線カットネット等を、対向する方向にそれぞれ収納されるべく移動することで、ワイヤーロープへの負荷が少なく、よりスムーズな紫外線カットネット等の移動を可能とすることができる。【００１８】  また、第３の解決手段による作用は、屋外プールの外周に設けられた複数の支柱のうち対向する支柱間方向にそれぞれ吊張されたワイヤーロープを移動する際、ウインチを電動ユニットの設けられたアシストウインチで移動することにより、少しの力でウインチのハンドルを回転してワイヤーロープを移動し、紫外線カットネット等を敷設することができる。又は、エンドレス方式の電動ウインチを使用することでそれぞれのワイヤーロープを円弧状に移動して紫外線カットネット等を敷設することができ、移動時のトラブルを極力さけることが可能となる。【００１９】  さらに、第４の解決手段による作用は、電動ユニットが手動式のハンドルの回転軸に直接、又は間接的に設けられていることにより、簡易な構成でアシストウインチを構成することができる他、電動ユニットのみを取り外し可能にすることができ、ウインチを使用しない場合の安全を確保することができる。
【発明の効果】
【００２０】  このように、本発明の紫外線カットネット等の敷設方法は、ウインチを作動することで、複数のワイヤーロープを同時に移動し、スムーズにプール上に紫外線カットネット等を敷設することができ、不使用時は複数のワイヤーロープを同時に移動することで紫外線カットネット等を巻き取りることができるので、その使用が容易で、安全性にも対応することが可能となる。【００２１】  また、装置の構成も容易であるためにその設置が容易であり、低コストで設置することができる。【００２２】  さらに、アシストウインチを使用することにより、プールに電源の配線がないばしいであっても新たに配線を行うことなく使用することができ、その施工方法が容易である。同様に、電動ウインチを使用する場合であっても、プールの使用は夏場であるために、太陽光、又は風による風力発電を使用することでエコエネルギーの活用をはかることも可能である。【００２３】  このように、プール使用時は早期のプール上へ紫外線カットネット等を敷設することができ、しかも敷設時に多くの労力を要さない。その結果、その使用者（特に、子供達）を紫外線から的確に保護することができることとなる。
【発明の実施するための最良の形態】
【００２４】  本発明のプールに紫外線カットネットを敷設する方法に用いる敷設装置の一実施例を図面に沿って説明する。説明において図１は本発明の紫外線カットネットの敷設装置の一実施例を示す概略説明斜視図であり、図２は紫外線カットネットの取り付け状態を示す概略側面図であり、図３は紫外線カットネットの他実施例の移動状態を示す平面図であり、図４、図５は紫外線カットネットの分割状態を示す概略説明図であり、図６は紫外線カットネットの取り付け状態の他実施例を示す概略側面図であり、図７、図８は紫外線カットネットの他の敷設方法を示す概略説明図であり、図９はアシストウインチの一実施例を示す概略説明断面図である。
【００２５】  本発明の紫外線カットネット（、又は紫外線カットシート）の敷設装置１は、屋外プール１０（水の蓄えられたプール部分１０ａ、及びその縁部１０ｂを含む全体部分）の外周の縦方向（長尺方向）に沿って等間隔で設けられた複数の支柱２…と、該支柱２…のうち対向する支柱２…間にそれぞれ吊張された複数のワイヤーロープ３…と、複数のワイヤーロープ３…に１台の割合（図１では３本のワイヤーロープ３に１台）で設けられたエンドレスウインチ４と、ワイヤーロープ３…に設けられた紫外線カットネット（、又は紫外線カットシート）５とから構成されている。
【００２６】  ワイヤーロープ３は、対向する支柱２、２間の上端側に緊張手段としてのバネ等の弾性体に連結された滑車７と、一方の支柱２の下方側に設けられたエンドレスウインチ４間にエンドレス状態で設けられている。
【００２７】  紫外線カットネット５のワイヤロープ３への取り付けは、紫外線カットネット５を一定の長さで波状に折り曲げ、先端側をワイヤロープ３に固定し、波状に折り曲げた紫外線カットネット５のそれぞれの頂上部部分に滑車の設けられた吊具５ａ…を取り付け、該滑車部分がワイヤロープ３上を移動するように取り付けられている。
【００２８】  従って、エンドレスウインチ４を作動すると、ワイヤロープ３が回動するように移動し、該ワイヤロープ３に先端側が連結された紫外線カットネット５を先端側より順次引っ張り、紫外線カットネット５をワイヤロープ３に沿って吊張して、プール１０上に紫外線カットネット５を敷設することができる。
【００２９】  この際、エンドレスウインチ４には、隣り合うワイヤーロープ３の他端側も連結されているために、１台のエンドレスウインチ４で同時に３本のワイヤーロープ３…を回動するように移動することができ、スムーズにプール１０上に紫外線カットネット５を敷設することができる。この際、ワイヤーロープ３を１本でエンドレス状態に設けてもよく、又支柱２毎に別々に設けることも可能である。
【００３０】  尚、１台のエンドレスウインチ４で移動できるワイヤーロープ３…の数は３本に限定されるものでなく、プール１０の大きさに応じた紫外線カットネット５の重量により、例えば、４本、５本と対応して決定することができる。
【００３１】  紫外線カットネット５は、３本のワイヤーロープ３…間毎に分割されているために、分割された各紫外線カットネット５…は、連動する３本のワイヤーロープ３…毎に、スムーズな移動することができることとなる。尚、紫外線カットネット５の分割はこれに限定されるものでなく、例えば、連動するワイヤーロープ３…の数に応じて分割することも可能であり、また、プール１０の大きさに応じて全体を２分割、又は１枚等自在に決定することが可能である。
【００３２】  紫外線カットネット５のワイヤロープ３への取り付けは、上記のようにワイヤーロープ３のみでの移動に限定されるものでなく、例えば、ワイヤロープ３の下方側に、対向する支柱２、２間に緊張手段としてのバネ等の弾性体に連結された吊張りロープ８を設け、該吊張りロープ８に、紫外線カットネット５の上部側に一定間隔で設けられたリング状の連結具５ａを挿通する。これにより紫外線カットネット５の吊張りを維持する。そして、エンドレスウインチ４を作動することでワイヤロープ３が回動するように移動して、紫外線カットネット５の先端側を引っ張り、吊張りロープ８に沿って紫外線カットネット５を吊張りし、プール１０上に紫外線カットネット５を敷設することも可能である。
【００３３】  次に上記実施例の紫外線カットネットの敷設装置１を使用して、屋外プール１０上に紫外線カットネット５を敷設する場合について説明する。
【００３４】  屋外プール１０に紫外線カットネットの敷設装置１を使用する場合、４１５ナノメートル以上の可視光線はそのまま透過させることができるなど、分光特性に優れた紫外線カットネット５を、該プール１０上に敷設する必要がある。
【００３５】  先ず、エンドレスウインチ４…を作動することで複数のワイヤロープ３…を回動するように移動し、それぞれのワイヤロープ３…に設けられた紫外線カットネット５…の先端側をワイヤロープ３…の移動に沿って引っ張る。
【００３６】  これにより、分割された紫外線カットネット５は、それぞれ吊具５ａ…部分が取順次ワイヤロープ３…上を移動することとなり、支柱２、２間に吊張されることとなる。そして全ての分割された紫外線カットネット５が支柱２、２間に吊張されると、プール１０上に紫外線カットネット５を敷設することができる。この状態でプール１０（水の蓄えられたプール部分１０ａ、及びその縁部１０ｂ）は紫外線をカットした状態で安心して使用することができる。
【００３７】  また、不使用時には、エンドレスウインチ４…の作動を逆方向にして、複数のワイヤロープ３…を回動するように移動し、ワイヤロープ３…に設けられた紫外線カットネット５…の先端側を逆方向に移動する。
【００３８】  これにより、分割された紫外線カットネット５は、それぞれ吊具５ａ…部分が取順次ワイヤロープ３…上を逆方向に移動することとなり、分割された紫外線カットネット５…を一方の支柱２側に波状に折り曲げる。そして全ての分割された紫外線カットネット５が一方の支柱２側に波状に折り曲げるると紫外線カットネット５は収納されることとなる。従って、風の強い日であっても安全である。
【００３９】  このように、エンドレスウインチ４…の作動で簡易に、且つスムーズにプール１０上に紫外線カットネット５を敷設、及び収納することができる。
【００４０】  また、上記実施例では、ウインチ４に関し、エンドレスウインチ４を使用しているが、該エンドレスウインチ４は手動式でも電動式でもよい。取り付ける紫外線カットネット５の大きさ（重量）に応じて使い分けでき、屋外プール１０に電気の配線があるか無いかに応じて設定できる。
【００４１】  さらに、電動式ウインチを使用する場合、屋外プール１０であるためにその電源として風力、太陽光等を利用するエコエネルギー発電を使用することも可能である。この場合に、プール縁部１０ｂで特に更衣室等の上部に風力源、太陽パネルを設けることがより効果的である。
【００４２】  また、ウインチ４として、電動ユニット１１の設けられたアシストウインチ４（アシストウインチ４の構成は、ワイヤー３の巻回された回転ドラム１２と該回転ドラム１２に設けられた回転軸１３と、該回転軸１３を回転するための手動用のハンドル１４と、回転軸１３に設けられた滑車１５にベルト１６を介して連結された駆動ユニット１７とから構成されている。駆動ユニット１７はバッテリー（図示せず）により駆動されるべく構成されている。尚、駆動ユニット１７、又はバッテリーは着脱自在に構成することも可能である。）を使用する場合は、電動ユニット１１を手動式のハンドル１４の回転軸１３に直接、又は間接的に設けることにより、ハンドル１４の回転をアシストすることができるので、一定の弱い力で容易に回転することができ、例えば、力の弱い女性、又は子供によっても容易にアシストウインチを使用できる他、電動ユニットのみを取り外すことで、安全性を確保することができ、また、電動ユニットのみを充電することで配線を必要としない等その使用が容易である。
【００４３】  さらに、本発明の上記実施例のように、ウインチ４はエンドレスウインチ４に限定されるものでなく、通常の巻き取り式ウインチを使用することも可能である。
【００４４】  また、複数のウインチ４…を、例えば、遠隔操作可能に制御盤（図示せず）で同時作動させるべく配線することも可能である。
【００４５】  尚、上記実施例では、紫外線カットネット５は一定方向に収納及び引出ししたが、例えば、エンドレスウイチ４を一方の支柱２側にも設けることにより、紫外線カットネット５を逆方向にも移動することが可能となる。
【００４６】  又、分割された紫外線カットネット５は、隣り合う紫外線カットネット５のそれぞれの端部が上下で重なるように、例えば、ワイヤロープ３…の支柱２の取り付けを上下のように異なって設ける、又は紫外線カットネット５の重なる部分のの間にローラー等を設ける等して、プール１０内への紫外線の進入を完全に遮断することも可能である。
【図面の簡単な説明】
【００４７】
【００４８】
【図１】は、本発明の敷設装置の一実施例を示す概略説明斜視図である。
【図２】は、紫外線カットネットの取り付け状態を示す概略側面図である。
【図３】は、紫外線カットネットの分割状態の他実施例を示す概略平面図である。
【図４】は、紫外線カットネットの分割状態の他実施例を示す概略平面図である。
【図５】は、紫外線カットネットの分割状態の他実施例を示す概略平面図である。
【図６】は、紫外線カットネットの取り付け状態の他実施例を示す概略側面図である。
【図７】は、ワイヤーロープの取り付け状態の他実施例を示す概略説明図である。
【図８】は、ワイヤーロープの取り付け状態の他実施例を示す概略説明図である。
【図９】は、アシストウインチの一実施例を示す概略説明断面図である。
【符号の説明】
【００４９】  １…敷設装置
２…支柱
４…ウインチ
５…紫外線カットネット
【図１】
2004285821.tif 000003
【図２】
2004285821.tif 000004
【図３】
2004285821.tif 000005
【図４】
2004285821.tif 000006
【図６】
2004285821.tif 000007
【図７】
2004285821.tif 000008
【図８】
2004285821.tif 000009
【図９】
2004285821.tif 000010
【手続補正書】
【提出日】平成16年4月9日(2004.4.9)
【手続補正１】
【補正対象書類名】図面
【補正対象項目名】全図
【補正方法】変更
【補正の内容】
【図１】
2004285821.tif 000011
【図２】
2004285821.tif 000012
【図３】
2004285821.tif 000013
【図４】
2004285821.tif 000014
【図５】
2004285821.tif 000015
【図６】
2004285821.tif 000016
【図７】
2004285821.tif 000017
【図８】
2004285821.tif 000018
【図９】
2004285821.tif 000019